(57)【要約】【課題】任意の場所に設置しつつ所定の動画または静止画をその片面または両面に表示することができ、任意の場所に設置可能な宣伝用のパネル板として使用することができる画像表示パネルを提供する。【解決手段】画像表示パネル１０Ａは、所定面積の可撓性を有する透明なフレキシブル基板１３ａおよびフレキシブル基板１３ａの一方の面に配置されて所定パターンの画素を構成する複数のＬＥＤ素子１５から形成されたＬＥＤディスプレイ１１と、フレキシブル基板１３ａの他方の面を両面に取り付けた所定面積の透明な支持プレート１２とを備え、ＬＥＤディスプレイ１１がそれらＬＥＤ素子１５を利用して支持プレート１２の両面に所定の動画または静止画を表示する。【選択図】図１
2018151519.tif 000002
【特許請求の範囲】
【請求項１】
所定面積の可撓性を有する透明なフレキシブル基板および前記フレキシブル基板の一方の面に配置されて所定パターンの画素を構成する複数のＬＥＤ素子から形成されたＬＥＤディスプレイと、前記フレキシブル基板の他方の面を片面または両面に取り付けた所定面積の透明な支持プレートとを備え、前記ＬＥＤディスプレイが、それらＬＥＤ素子を利用して前記支持プレートの片面または両面に所定の動画または静止画を表示することを特徴とする画像表示パネル。
【請求項２】
前記画像表示パネルでは、前記ＬＥＤディスプレイによって所定の動画または静止画を表示中に、前記画像表示パネルの一方の面の側から反対側の景観を視認可能、または、前記画像表示パネルの他方の面の側から反対側の景観を視認可能である請求項１に記載の画像表示パネル。
【請求項３】
前記支持プレートが、その前方と後方との少なくとも一方へ向かって凸となるように所定の曲率半径を有して円弧を画き、前記ＬＥＤディスプレイのフレキシブル基板が、前記支持プレートの曲率にあわせて円弧を画きつつ該支持プレートに取り付けられている請求項１または請求項２に記載の画像表示パネル。
【請求項４】
前記画像表示パネルが、建造物の壁に施設された所定面積の透明な窓ガラスの片面または両面に設置され、前記画像表示パネルと前記窓ガラスとから前記建造物の外部と内部との少なくとも一方に向かって動画または静止画を表示する画像表示設備が形成されている請求項１ないし請求項３いずれかに記載の画像表示パネル。
【請求項５】
前記画像表示設備では、前記ＬＥＤディスプレイによって所定の動画または静止画を表示中に、その一方の面の側から反対側の景観を視認可能、または、その他方の面の側から反対側の景観を視認可能である請求項４に記載の画像表示パネル。
【請求項６】
前記画像表示パネルが、建造物の内部空間を仕切る間仕切りパネルを形成し、前記間仕切りパネルでは、前記ＬＥＤディスプレイによって所定の動画または静止画を表示中に、該間仕切りパネルの一方の側から他方の側を視認可能、または、該間仕切りパネルの他方の側から一方の側を視認可能である請求項１ないし請求項３いずれかに記載の画像表示パネル。
【請求項７】
複数の前記画像表示パネルが、縦方向と横方向との少なくとも一方へ連結されて画像表示ユニットを形成し、前記ＬＥＤディスプレイの各フレキシブル基板が、各支持プレートの片面または両面に取り付けられ、各ＬＥＤディスプレイが、それらＬＥＤ素子を利用して各支持プレートの片面または両面に一つの纏まった画像の動画または静止画を表示し、または、それらＬＥＤ素子を利用して各支持プレートの片面または両面に複数の異なる画像の動画または静止画を表示する請求項１ないし請求項３いずれかに記載の画像表示パネル。
【請求項８】
複数の前記画像表示パネルが、縦方向と横方向との少なくとも横方向へ連結されて所定の展示物を取り囲む仮囲いを形成し、前記仮囲いでは、前記ＬＥＤディスプレイによって所定の動画または静止画を表示中に、該仮囲いの外側から前記展示物を視認可能、または、該仮囲いの内側から該仮囲いの外側の景観を視認可能である請求項７に記載の画像表示パネル。
【請求項９】
複数の前記画像表示パネルが、横方向と縦方向とのいずれか一方へ折り畳み可能に連結されて折り畳み式の前記画像表示ユニットを形成し、前記折り畳み式の画像表示ユニットでは、それら画像表示パネルの横方向または縦方向への展開状態であって前記ＬＥＤディスプレイによって所定の動画または静止画を表示中に、前記画像表示ユニットの一方の面の側から反対側の景観を視認可能、または、前記画像表示ユニットの他方の面の側から反対側の景観を視認可能である請求項７に記載の画像表示パネル。
【発明の詳細な説明】
【技術分野】
【０００１】
本発明は、所定の動画または静止画を表示する画像表示パネルに関する。
【背景技術】
【０００２】
複数の画素に対応する複数のＬＥＤ素子を所定のパターンに配置して所定の画像を表示するＬＥＤディスプレイと、各ＬＥＤ素子から一定の距離を保ちまたは密着して配置された光を拡散する機能を有する板状またはフィルム状の光学部材Ａと、ＬＥＤ素子と光学部材Ａとの間に配置されてＬＥＤ素子および光学部材Ａの双方に接する光透過性を有する光学部材Ｂとを有するＬＥＤディスプレイ装置が開示されている（特許文献１参照）。このＬＥＤディスプレイ装置は、光を拡散する板状またはフィルム状の光学部材ＡをＬＥＤ素子から一定の距離を保ちまたは密着して配置することで、ＬＥＤ素子の光が点から面に変化するから、点光源が識別されず、連続的な自然な画像として認識することができるとともに、再撮影においてモアレ現象の発生を防止することができる。
【先行技術文献】
【特許文献】
【０００３】
【特許文献１】特開２０１４−２０２８１６号公報
【発明の概要】
【発明が解決しようとする課題】
【０００４】
前記特許文献１に開示のＬＥＤディスプレイ装置は、それを床や台の上に置き、その状態で所定の画像を表示するが、ＬＥＤディスプレイ装置を任意の場所に設置可能なヴァンティアンパネルやポスターパネル、展示パネル、展示用・間仕切りパネル等の宣伝用のパネル板として使用することができない。また、ＬＥＤディスプレイ装置の一方の面の側から反対側の景観を視認することができず、ＬＥＤディスプレイ装置の他方の面の側から反対側の景観を視認することができないから、所定の動画または静止画を表示中に、ＬＥＤディスプレイ装置の一方の面の側や他方の面の側の様子を知ることができない。さらに、ＬＥＤディスプレイ装置の設置箇所が所定の曲率半径で湾曲する場合、ＬＥＤディスプレイ装置をその曲率半径やその角度にあわせて湾曲させることができず、所定の曲率半径で湾曲する設置箇所にＬＥＤディスプレイ装置を取り付けることができない。
【０００５】
本発明の目的は、任意の場所に設置しつつ所定の動画または静止画をその片面または両面に表示することができ、任意の場所に設置可能なヴァンティアンパネルやポスターパネル、展示パネル、展示用・間仕切りパネル等の宣伝用のパネル板として使用することができる画像表示パネルを提供することにある。本発明の他の目的は、動画または静止画を表示中に、その動画または静止画を視認しつつ一方の面の側や他方の面の側の景観（様子）を視認することができる画像表示パネルを提供することにある。本発明の他の目的は、所定の曲率半径で湾曲させることができ、湾曲させた状態で片面または両面に動画または静止画を表示することができる画像表示パネルを提供することにある。
【課題を解決するための手段】
【０００６】
前記課題を解決するための本発明に係る画像表示パネルの特徴は、所定面積の可撓性を有する透明なフレキシブル基板およびフレキシブル基板の一方の面に配置されて所定パターンの画素を構成する複数のＬＥＤ素子から形成されたＬＥＤディスプレイと、フレキシブル基板の他方の面を片面または両面に取り付けた所定面積の透明な支持プレートとを備え、ＬＥＤディスプレイが、それらＬＥＤ素子を利用して支持プレートの片面または両面に所定の動画または静止画を表示することにある。
【０００７】
本発明の画像表示パネルの一例としては、ＬＥＤディスプレイによって所定の動画または静止画を表示中に、画像表示パネルの一方の面の側から反対側の景観を視認可能、または、画像表示パネルの他方の面の側から反対側の景観を視認可能である。
【０００８】
本発明の画像表示パネルの他の一例としては、支持プレートが、その前方と後方との少なくとも一方へ向かって凸となるように所定の曲率半径を有して円弧を画き、ＬＥＤディスプレイのフレキシブル基板が、支持プレートの曲率にあわせて円弧を画きつつ支持プレートに取り付けられている。
【０００９】
本発明の画像表示パネルの他の一例としては、画像表示パネルが、建造物の壁に施設された所定面積の透明な窓ガラスの片面または両面に設置され、画像表示パネルと窓ガラスとから建造物の外部と内部との少なくとも一方に向かって動画または静止画を表示する画像表示設備が形成されている。
【００１０】
本発明の画像表示パネルの他の一例として、画像表示設備では、ＬＥＤディスプレイによって所定の動画または静止画を表示中に、その一方の面の側から反対側の景観を視認可能、または、その他方の面の側から反対側の景観を視認可能である。
【００１１】
本発明の画像表示パネルの他の一例としては、画像表示パネルが建造物の内部空間を仕切る間仕切りパネルを形成し、間仕切りパネルでは、ＬＥＤディスプレイによって所定の動画または静止画を表示中に、間仕切りパネルの一方の側から他方の側を視認可能、または、間仕切りパネルの他方の側から一方の側を視認可能である。
【００１２】
本発明の画像表示パネルの他の一例としては、複数の画像表示パネルが縦方向と横方向との少なくとも一方へ連結されて画像表示ユニットを形成し、ＬＥＤディスプレイの各フレキシブル基板が各支持プレートの片面または両面に取り付けられ、各ＬＥＤディスプレイがそれらＬＥＤ素子を利用して各支持プレートの片面または両面に一つの纏まった画像の動画または静止画を表示し、または、それらＬＥＤ素子を利用して各支持プレートの片面または両面に複数の異なる画像の動画または静止画を表示する。
【００１３】
本発明の画像表示パネルの他の一例としては、複数の前記画像表示パネルが縦方向と横方向との少なくとも横方向へ連結されて所定の展示物を取り囲む仮囲いを形成し、仮囲いでは、ＬＥＤディスプレイによって所定の動画または静止画を表示中に、仮囲いの外側から展示物を視認可能、または、仮囲いの内側から仮囲いの外側の景観を視認可能である。
【００１４】
本発明の画像表示パネルの他の一例としては、複数の画像表示パネルが横方向と縦方向とのいずれか一方へ折り畳み可能に連結されて折り畳み式の前記画像表示ユニットを形成し、折り畳み式の画像表示ユニットでは、それら画像表示パネルの横方向または縦方向への展開状態であってＬＥＤディスプレイによって所定の動画または静止画を表示中に、画像表示ユニットの一方の面の側から反対側の景観を視認可能、または、画像表示ユニットの他方の面の側から反対側の景観を視認可能である。
【発明の効果】
【００１５】
本発明に係る画像表示パネルによれば、所定面積の可撓性を有する透明なフレキシブル基板およびフレキシブル基板の一方の面に配置されて所定パターンの画素を構成する複数のＬＥＤ素子から形成されたＬＥＤディスプレイが所定面積の透明な支持プレートの片面または両面に取り付けられ、そのＬＥＤディスプレイがそれらＬＥＤ素子を利用して支持プレートの片面または両面に所定の動画または静止画を表示するから、任意の場所に設置可能した状態で所定の動画または静止画を片面または両面に表示することができ、画像表示パネルを利用して所定の動画または静止画を見せることができる。画像表示パネルは、支持プレートの両面や片面に所定の画像を表示することで、任意の場所に設置可能なヴァンティアンパネルやポスターパネル、展示パネル、展示用・間仕切りパネル等の宣伝用のパネル板として使用することができ、商品やサービスの各種情報を伝える伝達媒体として利用することができる。
【００１６】
ＬＥＤディスプレイによって所定の動画または静止画を表示中に、画像表示パネルの一方の面の側から反対側の景観を視認可能、または、画像表示パネルの他方の面の側から反対側の景観を視認可能である画像表示パネルは、所定の動画または静止画を表示中に、支持プレートの一方の面の側から反対側の景観を視認することができ、または、支持プレートの他方の面の側から反対側の景観を視認することができ、支持プレートの片面または両面に表示された動画または静止画を視認しつつ画像表示パネルの両側の景観（様子）を視認することができる。画像表示パネルは、支持プレートの一方の面の側と他方の面の側とから反対側の景観を見ることができるから、閉塞感を与えることはなく、画像表示パネルを利用することで開放的な環境において所定の動画または静止画を見せることができる。
【００１７】
支持プレートがその前方と後方との少なくとも一方へ向かって凸となるように所定の曲率半径を有して円弧を画き、ＬＥＤディスプレイのフレキシブル基板が支持プレートの曲率にあわせて円弧を画きつつ支持プレートに取り付けられている画像表示パネルは、支持プレートが所定の曲率半径で湾曲していたとしても、ＬＥＤディスプレイの可撓性を有するフレキシブル基板をその曲率半径にあわせて湾曲させることができるから、所定の曲率半径で湾曲する支持プレートにＬＥＤディスプレイを取り付けることができ、様々な湾曲形状の画像表示パネルを作ることができるとともに、様々に湾曲する支持プレートにおいてその片面または両面に所定の動画または静止画を表示することができる。画像表示パネルは、所定の曲率半径で湾曲する支持プレートの一方の面の側から反対側の景観を視認することができ、または、支持プレートの他方の面の側から反対側の景観を視認することができ、所定の動画または静止画を表示中に、湾曲する支持プレートの片面または両面に表示された動画または静止画を視認しつつ画像表示パネルの両側の様子を視認することができる。画像表示パネルは、所定の曲率半径で湾曲する支持プレートの一方の面の側と他方の面の側とから反対側の景観を見ることができるから、閉塞感を与えることはなく、画像表示パネルを利用することで開放的な環境において所定の動画または静止画を見せることができる。画像表示パネルは、所定の曲率半径で湾曲する支持プレートの両面や片面に所定の画像を表示することで、任意の場所に設置可能であって所定の曲率半径で湾曲するヴァンティアンパネルやポスターパネル、展示パネル、展示用・間仕切りパネル等の宣伝用のパネル板として使用することができ、商品やサービスの各種情報を伝える伝達媒体として利用することができる。
【００１８】
画像表示パネルが建造物の壁に施設された所定面積の透明な窓ガラスの片面または両面に設置され、画像表示パネルと窓ガラスとから建造物の外部と内部との少なくとも一方に向かって動画または静止画を表示する画像表示設備が形成されている画像表示パネルは、建造物（建物）の外壁や内壁、仕切壁に施設された窓ガラスを利用して建造物の所定の箇所に画像表示設備を作ることができ、窓ガラスを利用しつつ建造物の任意の箇所において建造物の外側や内側から視認可能な動画または静止画を表示することができるとともに、建造物の外側や内側において所定の動画または静止画を見せることができる。画像表示パネルは、支持プレートの両面や片面に所定の画像を表示することで、窓ガラスに設置されたポスターパネルや展示パネル等の宣伝用のパネル板として使用することができ、商品やサービスの各種情報を伝える窓ガラスを使った伝達媒体として利用することができる。
【００１９】
ＬＥＤディスプレイによって所定の動画または静止画を表示中に、画像表示設備の一方の面の側から反対側の景観を視認可能、または、画像表示設備の他方の面の側から反対側の景観を視認可能である画像表示パネルは、建造物の窓ガラスに施設された支持プレートおいて所定の動画または静止画をその片面または両面に表示することができることはもちろん、フレキシブル基板によって窓ガラスが目隠しされることはなく、所定の動画または静止画を表示中に、支持プレートの片面または両面に表示された動画または静止画を視認しつつ窓ガラスの内側や外側の様子を視認することができ、閉塞感を与えることはなく、窓ガラスを利用することで開放的な環境において所定の動画または静止画を見せることができる。
【００２０】
画像表示パネルが建造物の内部空間を仕切る間仕切りパネルを形成し、ＬＥＤディスプレイによって所定の動画または静止画を表示中に、間仕切りパネルの一方の側から他方の側を視認可能、または、間仕切りパネルの他方の側から一方の側を視認可能である画像表示パネルは、建造物（建物）の内部空間を仕切る各種の間仕切りパネルとして使用することができることはもちろん、その間仕切りパネルを利用しつつ建造物の内部空間において視認可能な動画または静止画を表示することができ、建造物の内部空間において所定の動画または静止画を見せることができる。画像表示パネルは、支持プレートの両面や片面に所定の画像を表示することで、仕切る間仕切りパネルを商品やサービスの各種情報を伝える伝達媒体として利用することができる。
【００２１】
複数の画像表示パネルが縦方向と横方向との少なくとも一方へ連結されて画像表示ユニットを形成し、ＬＥＤディスプレイの各フレキシブル基板が各支持プレートの片面または両面に取り付けられ、各ＬＥＤディスプレイがそれらＬＥＤ素子を利用して各支持プレートの片面または両面に一つの纏まった画像の動画または静止画を表示し、または、それらＬＥＤ素子を利用して各支持プレートの片面または両面に複数の異なる画像の動画または静止画を表示する画像表示パネルは、縦方向と横方向との少なくとも一方へ連結された複数の支持プレートによって大型の画像表示ユニットを作ることができ、それら支持プレートに複数のＬＥＤディスプレイの各フレキシブル基板を取り付けることで、連結された複数の支持プレートを利用しつつ、任意の場所に設置された画像表示ユニットにおいて所定の動画または静止画をその片面または両面に表示することができる。画像表示パネルは、それら支持プレートに取り付けられたそれらＬＥＤディスプレイにおいて、一つの纏まった画像の動画または静止画を表示することで、それらＬＥＤディスプレイを利用して一つの纏まった大型の画像を画像表示ユニットの片面または両面において見せることができ、複数の異なる画像の動画または静止画を表示することで、それらＬＥＤディスプレイを利用して複数の異なる内容の画像を画像表示パネルの片面または両面において見せることができる。画像表示パネルは、画像表示ユニットの両面や片面に所定の画像を表示することで、任意の場所に設置可能な宣伝用の大型の画像表示ユニットとして使用することができ、商品やサービスの各種情報を伝える伝達媒体として利用することができる。
【００２２】
複数の前記画像表示パネルが縦方向と横方向との少なくとも横方向へ連結されて所定の展示物を取り囲む仮囲いを形成し、その仮囲いにおいてＬＥＤディスプレイによって所定の動画または静止画を表示中に、仮囲いの外側から展示物を視認可能、または、仮囲いの内側から仮囲いの外側の景観を視認可能である画像表示パネルは、複数の画像表示パネルから作られた仮囲いにおいて所定の動画または静止画をその片面または両面に表示することができることはもちろん、所定の動画または静止画を表示中に、仮囲いの外側から展示物を視認することができ、動画または静止画を見せつつ展示物を見せることができ、動画または静止画を表示しつつ仮囲いの内側から外側の様子を視認することができる。画像表示パネルは、仮囲いを形成する画像表示パネルの一方の面の側と他方の面の側とから反対側の景観を見ることができるから、閉塞感を与えることはなく、画像表示パネルから作られた仮囲いを利用することで開放的な環境において所定の動画または静止画や展示物を見せることができる。画像表示パネルは、仮囲いの両面や片面に所定の画像を表示することで、任意の場所に設置可能な展示用・宣伝用の仮囲い（間仕切りパネル）として使用することができ、商品やサービスの各種情報を伝える伝達媒体として利用することができる。
【００２３】
複数の画像表示パネルが横方向と縦方向とのいずれか一方へ折り畳み可能に連結されて折り畳み式の画像表示ユニットを形成し、それら画像表示パネルの横方向または縦方向への展開状態であってＬＥＤディスプレイによって所定の動画または静止画を表示中に、画像表示ユニットの一方の面の側から反対側の景観を視認可能、または、画像表示ユニットの他方の面の側から反対側の景観を視認可能である画像表示パネルは、複数の画像表示パネルが横方向または縦方向へ折り畳み可能に連結されることで、折り畳み式の画像表示ユニットを作ることができ、それら画像表示パネルを折り畳むことで画像表示ユニットをコンパクトにすることができる。画像表示パネルは、横方向または縦方向へ連結されたそれら画像表示パネルから作られて任意の場所に設置された画像表示ユニットにおいて所定の動画または静止画をその片面または両面に表示することができることはもちろん、所定の動画または静止画を表示中に、画像表示ユニットの一方の面の側から反対側の景観を視認することができ、画像表示ユニットの他方の面の側から反対側の景観を視認することができ、画像表示ユニットの片面または両面に表示された動画または静止画を視認しつつ画像表示ユニットの両側の様子を視認することができる。画像表示パネルは、画像表示ユニットの一方の面の側と他方の面の側とから反対側の景観を見ることができるから、閉塞感を与えることはなく、画像表示パネルから作られた折り畳み式の画像表示ユニットを利用することで開放的な環境において所定の動画または静止画を見せることができる。画像表示パネルは、画像表示ユニットの両面や片面に所定の画像を表示することで、任意の場所に設置可能な折り畳み可能なヴァンティアンパネルやポスターパネル、展示パネル等の宣伝用の折り畳み式パネル板として使用することができ、商品やサービスの各種情報を伝える伝達媒体として利用することができる。
【図面の簡単な説明】
【００２４】
【図１】一例として示す画像表示パネルの斜視図。
【図２】ＬＥＤディスプレイと支持プレートとを分離して示すそれらの斜視図。
【図３】図１のＩ−Ｉ線端面図。
【図４】画像表示パネルを利用した一例として示す画像表示設備の斜視図。
【図５】画像表示パネルを窓ガラスから分離して示すそれらの斜視図。
【図６】図４のＩＩ−ＩＩ線矢視断面図。
【図７】他の一例として示す画像表示パネルの斜視図。
【図８】図７のＩＩＩ−ＩＩＩ線端面図。
【図９】画像表示パネルを利用した一例として示す仮囲いの斜視図。
【図１０】画像表示パネルを利用した一例として示す間仕切りパネル（パーティション）の斜視図。
【図１１】図１０のＩＶ−ＩＶ線端面図。
【図１２】画像表示パネルを利用した一例として示す折り畳み式の画像表示ユニットの斜視図。
【図１３】折り畳まれた状態で示す画像表示ユニットの斜視図。
【発明を実施するための形態】
【００２５】
一例として示す画像表示パネル１０Ａの斜視図である図１等の添付の図面を参照し、本発明に係る画像表示パネル（画像表示設備３０、画像表示ユニット３５、仮囲い３６、間仕切りパネル３７（パーティション）、折り畳み式の画像表示ユニット３９を含む）の詳細を説明すると、以下のとおりである。なお、図２は、ＬＥＤディスプレイ１１と支持プレート１２とを分離して示すそれらの斜視図であり、図３は、図１のＩ−Ｉ線端面図である。図１では、縦方向を矢印Ａで示し、横方向を矢印Ｂで示す。
【００２６】
図１に示す画像表示パネル１０Ａは、高輝度ＬＥＤディスプレイ１１（自発光型ディスプレイ）と、所定面積の透明な支持プレート１２とから形成されている。ＬＥＤディスプレイ１１は、所定面積の透明な２つのフレキシブル基板１３ａ，１３ｂと、それらフレキシブル基板１３ａ，１３ｂの一方の面１４に配置された複数のＬＥＤ素子１５（ＬＥＤチップ）と、フレキシブル基板１３ａ，１３ｂの上端部１６に設置された電子制御モジュール（図示せず）とから形成されている。
【００２７】
それらフレキシブル基板１３ａ，１３ｂは、熱可塑性合成樹脂から作られた可撓性を有する所定面積の透明なシート（プラスチックシート）であり、所定の曲率半径で円弧状に湾曲させることができるとともに、所定の角度で曲折する（折り曲げる）ことができる。フレキシブル基板１３ａ，１３ｂは、その厚み寸法が０．２〜１ｍｍの範囲にある。フレキシブル基板１３ａ，１３ｂは、その平面形状が四角形に成形されているが、四角形のみならず、菱形や円形、楕円形等のあらゆる形状に成形することができる。
【００２８】
それらＬＥＤ素子１５は、フレキシブル基板１３ａ，１３ｂの一方の面１４において縦方向へ等間隔離間して整然と並んでいるとともに、横方向へ等間隔離間して整然と並んでいる。それらＬＥＤ素子１５は、縦横方向へ並んだ状態でフレキシブル基板１３ａ，１３ｂの一方の面１４に設置・固定されている。それらＬＥＤ素子１５は、それらが電気的に接続されているとともに、電子制御モジュールに電気的に接続されている。それらＬＥＤ素子１５は、所定の数毎（フレキシブル基板１３の所定の面積毎）にブロック化され、第１〜第ｎブロックを形成している。それらＬＥＤ素子１５は、フレキシブル基板１３において所定パターンの画素を構成している。
【００２９】
電子制御モジュールは、コントローラ（図示せず）に接続され、それらＬＥＤ素子１６を第１〜第ｎブロック毎に一纏めに制御する。電子制御モジュールは、それらＬＥＤ素子１５の発光色を第１〜第ｎブロック毎に調整しつつ発光色を第１〜第ｎブロック毎に時系列に変化させ、それらＬＥＤ素子１５の輝度を第１〜第ｎブロック毎に調整しつつ輝度を第１〜第ｎブロック毎に時系列に変化させる。ＬＥＤディスプレイ１１では、光の３原色（Ｒ・Ｇ・Ｂ）に発光するそれらＬＥＤ素子１５がフレキシブル基板１３ａ，１３ｂにマウントされることで、ＬＥＤ素子１５に各種複数の色彩（可視光）を表示（発光）させることができ、フルカラー動画（白黒を含む）またはフルカラー静止画（白黒を含む）を連続的または間欠的に表示することができる。
【００３０】
コントローラは、中央処理部（ＣＰＵまたはＭＰＵ）とメモリ（メインメモリおよびキャッシュメモリ）とを有して独立したオペレーティングシステム（ＯＳ）によって動作するコンピュータであり、大容量記憶領域（大容量ハードディスク等）を内蔵している。コントローラには、テレビ受像器やビデオモニター、チューナー、ビデオカメラ、ビデオレコーダー、光学メディア等の各種複数の映像機器が接続されている。コントローラは、それら映像機器から送信された各種複数の映像や音声を改変してＬＥＤディスプレイ１１に表示する画像（動画または静止画）（音声を含む）を作成し、作成した画像をＬＥＤディスプレイ１１の電子制御モジュールに送信する。
【００３１】
支持プレート１２は、その前方へ向かって凸となるように所定の曲率半径を有して円弧を画いている。支持プレート１２は、熱可塑性合成樹脂から作られたプラスチック板であり、アクリル板が使用されているが、アクリル板の他に、塩化ビニール板やポリカーボネート板、ＰＥＴ板を使用することもできる。支持プレート１２は、その厚み寸法が５〜３０ｍｍの範囲にある。支持プレート１２の上下端部１６，１７および両側縁部１８（周縁部）には、それら縁部１６〜１８を囲繞するフレーム１９が設置されている。支持プレート１２の下端部１７のフレーム１９には、プレート１２を立てるスタンド２０が設置されている。
【００３２】
なお、支持プレート１２（アクリル板）が横方向と縦方向とへ直状に延びていてもよい。また、支持プレート１２がその後方へ向かって凸となるように所定の曲率半径を有して円弧を画いていてもよく、支持プレート１２がその前方と後方とへ向かって凸となるように所定の曲率半径を有して円弧を画き、前方と後方とへ向かって波状に起伏していてもよい。
【００３３】
支持プレート１２の一方の面２１には、一方のフレキシブル基板１３ａが配置されている。一方のフレキシブル基板１３ａは、支持プレート１２の一方の面２１の曲率にあわせて前方へ向かって凸となるように所定の曲率半径で円弧を画き、その他方の面２２が所定の接合手段（接着剤や粘着テープ）（図示せず）によって支持プレート１２の一方の面２１に取り付けられている。一方のフレキシブル基板１３ａの電子制御モジュールを取り付けた上端部２３は、支持プレート１２の上端部１６において折り曲げられ、支持プレート１２の上端面２４に位置している。
【００３４】
支持プレート１２の他方の面２５には、他方のフレキシブル基板１３ｂが配置されている。他方のフレキシブル基板１３ｂは、支持プレート１２の他方の面２５の曲率にあわせて前方へ向かって凸となるように所定の曲率半径で円弧を画き、その他方の面２２が所定の接合手段（接着剤や粘着テープ）（図示せず）によって支持プレート１２の他方の面２５に取り付けられている。他方のフレキシブル基板１３ｂの電子制御モジュールを取り付けた下端部２６は、支持プレート１２の下端部１７において折り曲げられ、支持プレート１２の下端面２７に位置している。
【００３５】
支持プレート１２が横方向と縦方向とへ直状に延びている場合、それらフレキシブル基板１３ａ，１３ｂが縦横方向へ直状に延びた状態で支持プレート１２の両面（一方の面２１および他方の面２５）に取り付けられる。支持プレート１２が後方へ向かって円弧を画いている場合、それらフレキシブル基板１３ａ，１３ｂが後方へ向かって円弧を画いた状態で支持プレート１２の両面（一方の面２１および他方の面２５）に取り付けられる。支持プレート１２が前方および後方へ向かって交互に円弧を画いている場合、それらフレキシブル基板１３ａ，１３ｂが前方および後方へ向かって交互に円弧を画いた状態で支持プレート１２の両面（一方の面２１および他方の面２５）に取り付けられる。なお、フレキシブル基板１３ａ，１３ｂが支持プレート１２の一方の面２１と他方の面２５とのいずれか一方にのみ取り付けられていてもよい。
【００３６】
画像表示パネル１０Ａでは、コントローラによって作成された画像（フルカラーの動画またはフルカラーの静止画）がコントローラから電子制御モジュールに送信され、電子制御モジュールがそれらＬＥＤ素子１５の発光色を調整しつつそれらＬＥＤ素子１５の輝度を調整することで、所定の画像（フルカラーの動画またはフルカラーの静止画）（音声は、スピーカーから出力される）がＬＥＤディスプレイ１１に表示される。画像は、支持プレート１２（パネル１０Ａ）の両面（一方の面２１および他方の面２５）に表示される。なお、支持プレート１２（パネル１０Ａ）の一方の面２１と他方の面２５とのいずれかのみに画像を表示することもできる。
【００３７】
画像表示パネル１０Ａでは、ＬＥＤディスプレイ１１の支持プレート１２（アクリル板）やフレキシブル基板１３ａ，１３ｂが透明であるから、所定の動画または静止画を表示中または非表示中に、パネル１０Ａの一方の面２８の側から反対側の景観（景色）を視認することができ、パネル１０Ａの他方の面２９の側から反対側の景観（景色）を視認することができる。また、所定の動画または静止画を表示中に、動画や静止画の色濃度（カラー濃度（白黒を含む））を高くし（濃くし）、および／または、動画や静止画の輝度を高くすることで、パネル１０Ａの一方の面２８（画像を表示している面）の側から反対側の景観（景色）を視認不能にすることができ、および／または、パネル１０Ａの他方の面２９（画像を表示している面）の側から反対側の景観（景色）を視認不能にすることができる。
【００３８】
画像表示パネル１０Ａは、支持プレート１２（パネル１０Ａ）の両面（一方の面２１および他方の面２５）や片面（一方の面２１または他方の面２５）に所定の画像を表示することで、任意の場所において外側または内側から視認可能なフルカラーの動画またはフルカラーの静止画を表示することができ、ヴァンティアンパネルやポスターパネル、展示パネル等の宣伝用の自立可能なパネル板として使用することができるとともに、商品やサービスの各種情報を伝える伝達媒体として利用することができる。
【００３９】
画像表示パネル１０Ａは、支持プレート１２が所定の曲率半径で湾曲していたとしても、可撓性を有するフレキシブル基板１３ａ，１３ｂをその曲率半径にあわせて湾曲させることができるから、所定の曲率半径で湾曲する支持プレート１２にＬＥＤディスプレイ１１を取り付けることができ、様々な湾曲形状の画像表示パネル１０Ａを作ることができるとともに、様々に湾曲する支持プレート１２においてその両面（一方の面２１および他方の面２５）または片面（一方の面２１または他方の面２５）に所定の動画または静止画を表示することができる。
【００４０】
画像表示パネル１０Ａは、所定の動画または静止画を表示中または非表示中に、湾曲する支持プレート１２の両面または片面に表示された動画または静止画を視認しつつ、パネル１０Ａの一方の面２８の側と他方の面２９の側とから反対側の景観（景色）を視認することができ、パネル１０Ａの内側や外側の様子を知ることができるとともに、閉塞感を与えることはなく、開放的な環境において所定の動画または静止画を見せることができる。また、所定の動画または静止画を表示中に、パネル１０Ａの一方の面２８の側から反対側の景観（景色）を視認不能にし、パネル１０Ａの他方の面２９の側から反対側の景観（景色）を視認不能にする場合は、パネル１０Ａの内側や外側の様子を見ることができないから、パネル１０Ａの内側や外側の存在する人物のプライバシーを保護することができ、パネル１０Ａの内側や外側の物やレイアウトの秘密を保持することができる。
【００４１】
図４は、画像表示パネル１０Ｂを利用した一例として示す画像表示設備３０の斜視図であり、図５は、画像表示パネル１０Ｂを窓ガラス３１から分離して示すそれらの斜視図である。図６は、図４のＩＩ−ＩＩ線矢視断面図である。図４では、縦方向を矢印Ａで示し、横方向を矢印Ｂで示す。図４に示す画像表示設備３０は、画像表示パネル１０Ｂと、所定面積の透明な窓ガラス３１と、所定面積の透明な紫外線遮蔽フィルム３２とから形成されている。
【００４２】
画像表示パネル１０Ｂは、高輝度ＬＥＤディスプレイ１１（自発光型ディスプレイ）と、所定面積の透明な支持プレート１２とから形成されている。ＬＥＤディスプレイ１１は、所定面積の透明なフレキシブル基板１３と、フレキシブル基板１３の一方の面１４に配置された複数のＬＥＤ素子１５（ＬＥＤチップ）と、フレキシブル基板１３の上端部２３に設置された電子制御モジュールとから形成されている。
【００４３】
支持プレート１２やフレキシブル基板１３、ＬＥＤ素子１５、電子制御モジュールは、図１の画像表示パネル１０Ａのそれらと同一であるが、支持プレート１２が上下方向へ長い直状に成形され、その支持プレート１２に直状に延びるフレキシブル基板１３が取り付けられている。フレキシブル基板１３は、支持プレート１２の一方の面２１に配置され、その他方の面２２が所定の接合手段（接着剤や粘着テープ）（図示せず）によって支持プレート１２の一方の面２１に取り付けられている。
【００４４】
フレキシブル基板１３の電子制御モジュールを取り付けた上端部２３は、支持プレート１２の上端部１６において折り曲げられ、支持プレート１２の上端面２４に位置している。支持プレート１２の上下端部１６，１７および両側縁部１８（周縁部）には、それら縁部１６〜１８を囲繞する固定フレーム３３が取り付けられている。なお、フレキシブル基板１３（ＬＥＤディスプレイ１１）が支持プレート１２の一方の面２１および他方の面２５（両面）に取り付けられていてもよく、フレキシブル基板１３（ＬＥＤディスプレイ１１）が支持プレート１２の他方の面２５（片面）に取り付けられていてもよい。電子制御モジュールは、図１の画像表示パネル１０Ａと同一のコントローラに接続されている。
【００４５】
窓ガラス３１は、建造物（建物）の外壁や内壁、仕切壁等に施設され、建造物の内部と外部とを隔て、または、建造物の室と通路とを隔てている。窓ガラス３１は、開け閉めが可能な開閉式または開け閉めが不能な閉めっぱなしのどちらでもよい。紫外線遮蔽フィルム３２は、フレキシブル基板１３と同形同大であり、フレキシブル基板１３の一方の面１４の側に配置されている。紫外線遮蔽フィルム３２は、熱可塑性合成樹脂から作られた可撓性を有する透明なフィルム（プラスチックフィルム）であり、所定の接合手段（接着剤や粘着テープ）（図示せず）によってフレキシブル基板１３の一方の面１４に貼着されている。紫外線遮蔽フィルム３２は、フレキシブル基板１３の一方の面１４に配置されたそれらＬＥＤ素子１５を包被している。紫外線遮蔽フィルム３２は、紫外線を遮蔽し、紫外線のそれらＬＥＤ素子１５への到達を阻止する。
【００４６】
画像表示パネル１０Ｂは、固定フレーム３３に連結された状態で窓ガラス３１の内側（建造物の内部、建造物の室の内部または外部）に配置されている。画像表示設備３０では、画像表示パネル１０Ｂの上下端部１６，１７および両側縁部１８に取り付けられた固定フレーム３３が所定の固定手段（固定ボルトや固定釘等）（図示せず）によって窓ガラス３１の窓フレーム３４に設置・固定され、それによって画像表示パネル１０Ｂが窓ガラス３１の片面近傍に取り付けられている。
【００４７】
画像表示設備３０では、コントローラによって作成された画像（フルカラーの動画またはフルカラーの静止画）がコントローラから電子制御モジュールに送信され、電子制御モジュールがそれらＬＥＤ素子１５の発光色を調整しつつそれらＬＥＤ素子１５の輝度を調整することで、所定の画像（フルカラーの動画またはフルカラーの静止画）（音声は、スピーカーから出力される）がＬＥＤディスプレイ１１に表示され、その画像が窓ガラス３１を通して表示される。
【００４８】
画像表示設備３０では、ＬＥＤディスプレイ１１のフレキシブル基板１３や支持プレート１２（アクリル板）、窓ガラス３１が透明であるから、所定の動画または静止画を表示中または非表示中に、画像表示設備３０の一方の面の側（窓ガラス３１の外側）から反対側の景観（景色）を視認することができ、画像表示設備３０の他方の面の側（パネル１０Ｂの内側）から反対側の景観（景色）を視認することができる。また、所定の動画または静止画を表示中に、動画や静止画の色濃度（カラー濃度（白黒を含む））を高くし（濃くし）、および／または、動画や静止画の輝度を高くすることで、画像表示設備３０の一方の面の側（窓ガラス３１の外側）から反対側（画像表示設備３０の他方の面の側（パネル１０Ｂの内側））の景観（景色）を視認不能であって、画像表示設備３０の他方の面の側（パネル１０Ｂの内側）から反対側（画像表示設備３０の一方の面の側（窓ガラス３１の外側））の景観（景色）を視認可能にすることができる。
【００４９】
画像表示パネル１０Ｂは、建造物（建物）の外壁や内壁、仕切壁に施設された窓ガラス３１を利用して建造物の所定の箇所に画像表示設備３０を作ることができ、窓ガラス３１を利用しつつ建造物の任意の箇所において建造物の外側や内側から視認可能なフルカラーの動画またはフルカラーの静止画を表示することができるとともに、建造物の外側や内側においてフルカラーの動画またはフルカラーの静止画を見せることができる。画像表示パネル１０Ｂは、支持プレート１２の所定の画像を表示することで、窓ガラス３１に設置されたポスターパネルや展示パネル等の宣伝用のパネル板として使用することができ、商品やサービスの各種情報を伝える窓ガラス３１を使った伝達媒体として利用することができる。
【００５０】
画像表示パネル１０Ｂは、ＬＥＤディスプレイ１１が建造物の外部に対向する窓ガラス３１に取り付けられ、ＬＥＤディスプレイ１１のＬＥＤ素子１５に直射日光が照射されたとしても、日光の紫外線が紫外線遮蔽フィルム３２によって遮蔽されるから、日光の紫外線によるＬＥＤ素子１５の劣化を防ぐことができ、建造物の外部に対向する窓ガラス３１においてフルカラーの動画またはフルカラーの静止画を長期間表示することができる。
【００５１】
画像表示パネル１０Ｂは、フレキシブル基板１３や支持プレート１２（アクリル板）によって窓ガラス３１が目隠しされることはなく、所定の動画または静止画を表示中または非表示中に、画像表示設備３０の一方の面の側（窓ガラス３１の外側）と他方の面の側（パネル１０Ｂの内側）とから反対側の景観（景色）を視認することができ、窓ガラス３１の内側や外側の様子を知ることができるとともに、閉塞感を与えることはなく、開放的な環境においてフルカラーの動画またはフルカラーの静止画を見せることができる。
【００５２】
また、所定の動画または静止画を表示中に、画像表示設備３０の一方の面の側（窓ガラス３１の外側）から反対側（画像表示設備３０の他方の面の側（パネル１０Ｂの内側））の景観（景色）を視認不能にし、画像表示設備３０の他方の面の側（パネル１０Ｂの内側）から反対側（画像表示設備３０の一方の面の側（窓ガラス３１の外側））の景観（景色）を視認可能にする場合は、画像表示設備３０の他方の面の側（パネル１０Ｂの内側）の様子を見ることができないから、画像表示設備３０の他方の面の側（パネル１０Ｂの内側）に存在する人物のプライバシーを保護することができ、画像表示設備３０の他方の面の側（パネル１０Ｂの内側）の物やレイアウトの秘密を保持することができる。さらに、所定の動画または静止画を表示中に、画像表示設備３０の他方の面の側（パネル１０Ｂの内側）から画像表示設備３０の一方の面の側（窓ガラス３１の外側）の景観を見ることができ、たとえば、室内から室外の景色を見ることができる。
【００５３】
なお、窓ガラス３１には、直状に延びるものの他、湾曲するものや所定の角度で曲折するものも含まれる。この場合、画像表示パネル１０Ｂ（支持プレート１２、フレキシブル基板１３）が窓ガラス３１の湾曲形状に沿って湾曲し、または、画像表示パネル１０Ｂ（支持プレート１２、フレキシブル基板１３）が窓ガラス３１の曲折形状に沿って曲折する。また、窓ガラス３１には、建造物（建物）の所定の箇所に施設されたにショーウインドウの所定面積の透明なショーウインドウガラスが含まれる。ショーウインドウガラスには、直状に延びるもののみならず、湾曲するものや所定の角度で曲折するものも含まれる。
【００５４】
画像表示パネル１０Ｂは、建造物に所定の箇所に施設されたショーウインドウガラスにＬＥＤディスプレイのフレキシブル基板を取り付けることで画像表示設備３０を作ることができ、ショーウインドウガラスを利用しつつ、建造物の任意の箇所において所定の動画または静止画を表示することができる。また、所定の動画または静止画を表示中または非表示中に、ショーウインドウガラスの一方の面の側と他方の面の側とから反対側の景色を見ることができるから、閉塞感を与えることはなく、開放的な環境において所定の動画または静止画を見ることができるのみならず、ショーウインドウガラスを通してディスプレイが施されたショーウインドウの内部を見ることができる。
【００５５】
図７は、画像表示パネル１０Ｃを利用した一例として示す画像表示ユニット３５の斜視図であり、図８は、図７のＩＩＩ−ＩＩＩ線端面図である。図７では、縦方向を矢印Ａで示し、横方向を矢印Ｂで示す。図７に示す画像表示ユニット３５は、縦方向および横方向へ並ぶ複数の画像表示パネル１０Ｃから作られている。
【００５６】
それら画像表示パネル１０Ｃは、高輝度ＬＥＤディスプレイ１１（自発光型ディスプレイ）と、所定面積の透明な支持プレート１２とから形成されている。ＬＥＤディスプレイ１１は、所定面積の透明な２つのフレキシブル基板１３ａ，１３ｂと、それらフレキシブル基板１３ａ，１３ｂの一方の面１４に配置された複数のＬＥＤ素子１５（ＬＥＤチップ）と、フレキシブル基板１３ａ，１３ｂの上端部１６に設置された電子制御モジュール（図示せず）とから形成されている。
【００５７】
支持プレート１２やフレキシブル基板１３ａ，１３ｂ、ＬＥＤ素子１５、電子制御モジュールは、図１の画像表示パネル１０Ａのそれらと同一であるが、それら支持プレート１２が直状に延びる四角形に成形され、それら支持プレート１２に直状に延びるフレキシブル基板１３ａ，１３ｂが取り付けられている。フレキシブル基板１３ａは、その他方の面２２が所定の接合手段（接着剤や粘着テープ）（図示せず）によって支持プレート１２の一方の面２１に取り付けられている。フレキシブル基板１３ｂは、その他方の面２２が所定の接合手段（接着剤や粘着テープ）（図示せず）によって支持プレート１２の他方の面２５に取り付けられている。
【００５８】
それら支持プレート１２の上下端部１６，１７および両側縁部１８（周縁部）には、それら縁部１６〜１８を囲繞するフレーム１９が設置されている。それら支持プレート１２（フレーム１９）は、縦方向へ並んだ状態で所定の連結手段（固定ボルトや固定釘、嵌合フック等）（図示せず）によって縦方向へ連結されているとともに、横方向へ並んだ状態で所定の連結手段（固定ボルトや固定釘、嵌合フック等）（図示せず）によって横方向へ連結されている。電子制御モジュールは、図１の画像表示パネル１０Ａと同一のコントローラに接続されている。
【００５９】
最上に位置する支持パネルの縁部１６〜１８に設置されたフレーム１９には、画像表示パネル１０Ｃを吊す吊し紐３８（金属鎖やプラスチック鎖等）が取り付けられている。画像表示パネル１０Ｃは、吊し紐３８によって建造物（建物）の天井や壁から吊されている。なお、画像表示パネル１０Ｃが縦方向と横方向とのいずれか一方へ連結されることで画像表示ユニット３５が作られていてもよい。また、画像表示パネル１０Ｃ（支持プレート１２、フレキシブル基板１３）が所定の曲率半径で湾曲し、または、画像表示パネル１０Ｃ（支持プレート１２、フレキシブル基板１３）が所定の角度で曲折されていてもよい。さらに、画像表示ユニット３５がスタンド（脚部）によって建造物の床面に載置されていてもよく、画像表示ユニット３５がフックによって外壁や内壁、仕切壁に掛けられていてもよい。
【００６０】
画像表示ユニット３５では、コントローラによって作成された画像（フルカラーの動画またはフルカラーの静止画）がコントローラから電子制御モジュールに送信され、電子制御モジュールがそれらＬＥＤ素子１５の発光色を調整しつつそれらＬＥＤ素子１５の輝度を調整することで、所定の画像（フルカラーの動画またはフルカラーの静止画）（音声は、スピーカーから出力される）がＬＥＤディスプレイ１１に表示される。画像は、画像表示パネル１０Ｃ（画像表示ユニット３５）（支持プレート１２）の両面（一方の面２１および他方の面２５）に表示されるが、画像表示パネル１０Ｃ（画像表示ユニット３５）（支持プレート１２）の一方の面２１と他方の面２５とのいずれかのみに画像を表示することもできる。
【００６１】
画像表示ユニット３５では、各ＬＥＤディスプレイ１１がそれらＬＥＤ素子１５を利用して画像表示ユニット３５（各支持プレート１２）の両面（一方の面２１および他方の面２５）または片面（一方の面２１または他方の面２５）に一つの纏まった画像の動画または静止画を表示し、または、それらＬＥＤ素子１５を利用して各画像表示ユニット３５（各支持プレート１２）の両面または片面に複数の異なる画像の動画または静止画を表示することができる。
【００６２】
画像表示ユニット３５では、ＬＥＤディスプレイ１１の支持プレート１２（アクリル板）やフレキシブル基板１３ａ，１３ｂが透明であるから、所定の動画または静止画を表示中または非表示中に、画像表示パネル１０Ｃ（画像表示ユニット３５）の一方の面２８の側から反対側の景観（景色）を視認することができ、パネル１０Ｃ（画像表示ユニット３５）の他方の面２９の側から反対側の景観（景色）を視認することができる。また、所定の動画または静止画を表示中に、動画や静止画の色濃度（カラー濃度（白黒を含む））を高くし（濃くし）、および／または、動画や静止画の輝度を高くすることで、画像表示パネル１０Ｃ（画像表示ユニット３５）の一方の面２８（画像を表示している面）の側から反対側の景観（景色）を視認不能にすることができ、および／または、パネル１０Ｃ（画像表示ユニット３５）の他方の面２９（画像を表示している面）の側から反対側の景観（景色）を視認不能にすることができる。
【００６３】
画像表示パネル１０Ｃは、縦方向と横方向との少なくとも一方へ連結された複数の支持プレート１２によって大型の画像表示ユニット３５を作ることができ、それら支持プレート１２に複数のＬＥＤディスプレイ１１の各フレキシブル基板１３ａ，１３ｂを取り付けることで、連結された複数の支持プレート１２を利用しつつ、任意の場所に設置された画像表示ユニット３５おいてフルカラーの動画またはフルカラーの静止画をその両面（または片面）に表示することができる。画像表示パネル１０Ｃ（画像表示ユニット３５）は、それら支持プレート１２の両面（または片面）に所定の画像を表示することで、宣伝用の大型の画像表示ユニット３５として使用することができ、商品やサービスの各種情報を伝える伝達媒体として利用することができる。
【００６４】
画像表示パネル１０Ｃ（画像表示ユニット３５）は、それら支持プレート１２に取り付けられたそれらＬＥＤディスプレイ１１において、一つの纏まった画像のフルカラーの動画またはフルカラーの静止画を表示することで、それらＬＥＤディスプレイ１１を利用して一つの纏まった大型の画像を画像表示ユニット３５（支持プレート１２）の両面（または片面）において見せることができ、複数の異なる画像のフルカラーの動画またはフルカラーの静止画を表示することで、それらＬＥＤディスプレイ１１を利用して複数の異なる内容の画像を各画像表示ユニット３５（各支持プレート１２）の両面または片面において見せることができる。
【００６５】
画像表示パネル１０Ｃは、所定の動画または静止画を表示中または非表示中に、画像表示ユニット３５（支持プレート１２）の両面（または片面）に表示された動画または静止画を視認しつつパネル１０Ｃ（画像表示ユニット３５）の一方の面２８の側と他方の面２９の側とから反対側の景観（景色）を視認することができ、パネル１０Ｃ（画像表示ユニット３５）の内側や外側の様子を知ることができるとともに、閉塞感を与えることはなく、開放的な環境において所定の動画または静止画を見せることができる。また、所定の動画または静止画を表示中に、パネル１０Ｃ（画像表示ユニット３５）の一方の面２８の側から反対側の景観（景色）を視認不能にし、パネル１０Ｃ（画像表示ユニット３５）の他方の面２９の側から反対側の景観（景色）を視認不能にする場合は、パネル１０Ｃ（画像表示ユニット３５）の内側や外側の様子を見ることができないから、画像表示ユニット３５の内側や外側の存在する人物のプライバシーを保護することができ、画像表示ユニット３５の内側や外側の物やレイアウトの秘密を保持することができる。
【００６６】
図９は、画像表示パネル１０Ｄを利用した一例として示す仮囲い３６の斜視図である。図９では、展示物の図示を省略している。図９に示す仮囲い３６は、横方向へ環状に並ぶ複数の画像表示パネル１０Ｄから作られている。仮囲い３６は、その形状が楕円形に施設されている。仮囲い３６の内側（内部）には、所定の展示物（図示せず）が載置される。
【００６７】
それら画像表示パネル１０Ｄは、自立可能な間仕切りパネル（パーティション）を形成している。それら画像表示パネル１０Ｄは、高輝度ＬＥＤディスプレイ１１（自発光型ディスプレイ）と、所定面積の透明な複数の支持プレート１２（アクリル板）とから形成されている。ＬＥＤディスプレイ１１は、所定面積の透明なフレキシブル基板１３と、フレキシブル基板１３の一方の面１４に配置された複数のＬＥＤ素子１５（ＬＥＤチップ）と、フレキシブル基板１３の上端部１６に設置された電子制御モジュール（図示せず）とから形成されている。
【００６８】
支持プレート１２やフレキシブル基板１３、ＬＥＤ素子１５、電子制御モジュールは、図１の画像表示パネル１０Ａのそれらと同一であるが、それら支持プレート１２がその前方へ向かって凸となるように所定の曲率半径を有して円弧を画いている。支持プレート１２の一方の面２１には、フレキシブル基板１３が配置されている。フレキシブル基板１３（ＬＥＤディスプレイ１１）は、支持プレート１２の曲率にあわせて前方へ向かって凸となるように所定の曲率半径で円弧を画き、その他方の面２２が所定の接合手段（接着剤や粘着テープ）（図示せず）によって支持プレート１２の一方の面２１（片面）に取り付けられている。
【００６９】
フレキシブル基板１３の電子制御モジュールを取り付けた上端部２３は、支持プレート１２の上端部１６において折り曲げられ、支持プレート１２の上端面２４に位置している（図６援用）。なお、フレキシブル基板１３（ＬＥＤディスプレイ１１）が支持プレート１２の一方の面２１および他方の面２５（両面）に取り付けられていてもよい。電子制御モジュールは、図１の画像表示パネル１０Ａと同一のコントローラに接続されている。
【００７０】
それら支持プレート１２の上下端部１６，１７および両側縁部１８（周縁部）には、それら縁部１６〜１８を囲繞するフレーム１９が設置されている。それら支持プレート１２（フレーム１９）は、横方向へ並んだ状態で所定の連結手段（固定ボルトや固定釘、フック等）（図示せず）によって横方向へ連結されている。支持プレート１２の下端部１７のフレーム１９には、プレート１２を立てるスタンド２０が設置されている。
【００７１】
なお、支持プレート１２が横方向と縦方向とへ直状に延びていてもよい。また、支持プレート１２が所定の角度で曲折されていてもよい。支持プレート１２が直状に延びている場合、直状に延びるフレキシブル基板１３がその支持プレート１２に取り付けられ、四角形の仮囲い３６が作られる。支持プレート１２が所定の角度で曲折する場合、フレキシブル基板１３が支持プレート１２に沿って曲折し、曲折するフレキシブル基板１３がその支持プレート１２に取り付けられる。
【００７２】
画像表示パネル１０Ｄ（仮囲い３６）では、コントローラによって作成された画像（フルカラーの動画またはフルカラーの静止画）がコントローラから電子制御モジュールに送信され、電子制御モジュールがそれらＬＥＤ素子１５の発光色を調整しつつそれらＬＥＤ素子１５の輝度を調整することで、所定の画像（フルカラーの動画またはフルカラーの静止画）（音声は、スピーカーから出力される）がＬＥＤディスプレイ１１（仮囲い３６）に表示される。仮囲い３６では、各ＬＥＤディスプレイ１１がそれらＬＥＤ素子１５を利用して各画像表示パネル１０Ｄ（各支持プレート１２）の片面（一方の面２１）に一つの纏まった画像の動画または静止画を表示し、または、それらＬＥＤ素子１５を利用して各画像表示パネル１０Ｄ（各支持プレート１２）の片面に複数の異なる画像の動画または静止画を表示することができる。
【００７３】
画像表示パネル１０Ｄでは、ＬＥＤディスプレイ１１の支持プレート１２（アクリル板）やフレキシブル基板１３が透明であるから、所定の動画または静止画を表示中または非表示中に、パネル１０Ｄ（仮囲い３６）の一方の面２８の側から反対側（仮囲い３６の内側）の景観（景色）を視認することができ、パネル１０Ｄ（仮囲い３６）の他方の面２９の側から反対側（仮囲い３６の外側）の景観（景色）を視認することができる。したがって、複数の支持プレート１２が横方向へ連結されて所定の展示物を取り囲む仮囲い３６を形成しつつ、ＬＥＤディスプレイ１１によって所定の動画または静止画を表示中に、仮囲い３６の外側から展示物を視認可能である。また、所定の動画または静止画を表示中に、動画や静止画の色濃度（カラー濃度（白黒を含む））を高くし（濃くし）、および／または、動画や静止画の輝度を高くすることで、パネル１０Ｄ（仮囲い３６）の一方の面２８の側から反対側（仮囲い３６の内側）の景観（景色）を視認不能にすることができる。
【００７４】
画像表示パネル１０Ｄは、複数のそれを縦方向と横方向との少なくとも横方向へ連結することで、所定の展示物を取り囲む仮囲いを作ることができ、複数のパネル１０Ｄ（支持プレート１２）から作られた仮囲い３６においてフルカラーの動画またはフルカラーの静止画をその片面（または両面）に表示することができることはもちろん、フルカラーの動画またはフルカラーの静止画を表示中に、仮囲い３６の外側から展示物を視認することができ、動画または静止画を見せつつ展示物を見せることができ、動画または静止画を表示しつつ仮囲い３６の内側から外側の様子を視認することができる。画像表示パネル１０Ｄは、仮囲い３６（支持プレート１２）の片面（または両面）に所定の画像を表示することで、展示用・宣伝用の仮囲い３６（間仕切りパネル）として使用することができ、商品やサービスの各種情報を伝える伝達媒体として利用することができる。
【００７５】
画像表示パネル１０Ｄは、所定の動画または静止画を表示中または非表示中に、仮囲い３６（支持プレート１２）の一方の面２１の側と他方の面２５の側とから反対側の景観を見ることができるから、閉塞感を与えることはなく、画像表示パネル１０Ｄから作られた仮囲い３６を利用することで開放的な環境において所定の動画または静止画や展示物を見せることができる。また、所定の動画または静止画を表示中に、パネル１０Ｄ（仮囲い３６）の一方の面２８の側から反対側（仮囲い３６の内側）の景観（景色）を視認不能にする場合は、パネル１０Ｄ（仮囲い３６の内側）の様子を見ることができないから、パネル１０Ｄの内側の存在する人物のプライバシーを保護することができ、パネル１０Ｄの内側の物やレイアウトの秘密を保持することができる。
【００７６】
図１０は、画像表示パネル１０Ｅを利用した一例として示す間仕切りパネル３７（パーティション）の斜視図であり、図１１は、図１０のＩＶ−ＩＶ線端面図である。図１０では、縦方向を矢印Ａで示し、横方向を矢印Ｂで示す。間仕切りパネル３７は、縦方向へ長い画像表示パネル１０Ｅから作られ、所定の建造物（建物）の内部空間の仕切として使用される。画像表示パネル１０Ｅは、自立可能な間仕切りパネル３７（パーティション）を形成している。
【００７７】
画像表示パネル１０Ｅは、高輝度ＬＥＤディスプレイ１１（自発光型ディスプレイ）と、所定面積の透明な複数の支持プレート１２（アクリル板）とから形成されている。ＬＥＤディスプレイ１１は、所定面積の透明なフレキシブル基板１３と、フレキシブル基板１３の一方の面１４に配置された複数のＬＥＤ素子１５（ＬＥＤチップ）と、フレキシブル基板１３の上端部１６に設置された電子制御モジュール（図示せず）とから形成されている。
【００７８】
支持プレート１２やフレキシブル基板１３、ＬＥＤ素子１５、電子制御モジュールは、図１の画像表示パネル１０Ａのそれらと同一であるが、支持プレート１２が直状に延びる縦方向へ長い四角形に成形され、支持プレート１２に直状に延びるフレキシブル基板１３ａ，１３ｂが取り付けられている。フレキシブル基板１３ａは、その他方の面２２が所定の接合手段（接着剤や粘着テープ）（図示せず）によって支持プレート１２の一方の面２１に取り付けられている。フレキシブル基板１３ｂは、その他方の面２２が所定の接合手段（接着剤や粘着テープ）（図示せず）によって支持プレート１２の他方の面２５に取り付けられている。なお、フレキシブル基板１３が支持プレート１２の一方の面２１と他方の面２５とのいずれか一方にのみ取り付けられていてもよい。
【００７９】
支持プレート１２の上下端部１６，１７および両側縁部１８（周縁部）には、それら縁部１６〜１８を囲繞するフレーム１９が設置されている。支持プレート１２の下端部１７のフレーム１９には、プレート１２を立てるスタンド２０が設置されている。電子制御モジュールは、図１の画像表示パネル１０Ａと同一のコントローラに接続されている。
【００８０】
間仕切りパネル３７では、コントローラによって作成された画像（フルカラーの動画またはフルカラーの静止画）がコントローラから電子制御モジュールに送信され、電子制御モジュールがそれらＬＥＤ素子１５の発光色を調整しつつそれらＬＥＤ素子１５の輝度を調整することで、所定の画像（フルカラーの動画またはフルカラーの静止画）（音声は、スピーカーから出力される）がＬＥＤディスプレイ１１に表示される。画像は、支持プレート１２（パネル１０Ｅ）の両面（一方の面２１および他方の面２５）に表示されるが、支持プレート１２（パネル１０Ｅ）の一方の面２１と他方の面２５とのいずれかのみに画像を表示することもできる。
【００８１】
間仕切りパネル３７では、ＬＥＤディスプレイ１１の支持プレート１２（アクリル板）やフレキシブル基板１３ａ，１３ｂが透明であるから、所定の動画または静止画を表示中または非表示中に、画像表示パネル１０Ｅ（間仕切りパネル３７）の一方の面２８の側から反対側の景観（景色）を視認することができ、パネル１０Ｅ（間仕切りパネル３７）の他方の面２９の側から反対側の景観（景色）を視認することができる。また、所定の動画または静止画を表示中に、動画や静止画の色濃度（カラー濃度（白黒を含む））を高くし（濃くし）、および／または、動画や静止画の輝度を高くすることで、パネル１０Ｅ（間仕切りパネル３７）の一方の面２８（画像を表示している面）の側から反対側の景観（景色）を視認不能にすることができ、および／または、パネル１０Ｅ（間仕切りパネル３７）の他方の面２９（画像を表示している面）の側から反対側の景観（景色）を視認不能にすることができる。
【００８２】
画像表示パネル１０Ｅは、建造物（建物）の内部空間を仕切る各種の間仕切りパネル３７として使用することができることはもちろん、その間仕切りパネル３７を利用しつつ建造物の内部空間において視認可能な動画または静止画を表示することができ、建造物の内部空間において所定の動画または静止画を見せることができる。画像表示パネル１０Ｅは、支持プレート１２の両面や片面に所定の画像を表示することで、仕切る間仕切りパネル３７を商品やサービスの各種情報を伝える伝達媒体として利用することができる。
【００８３】
画像表示パネル１０Ｅは、所定の動画または静止画を表示中または非表示中に、間仕切りパネル３７（支持プレート１２）の一方の面２１の側と他方の面２５の側とから反対側の景観を見ることができるから、閉塞感を与えることはなく、画像表示パネル１０Ｅから作られた間仕切りパネル３７を利用することで開放的な環境において所定の動画または静止画を見せることができる。また、所定の動画または静止画を表示中に、パネル１０Ｅ（間仕切りパネル３７）の一方の面２８の側から反対側の景観（景色）を視認不能にし、パネル１０Ｅ（間仕切りパネル３７）の他方の面２９の側から反対側の景観（景色）を視認不能にする場合は、間仕切りパネル３７の内側や外側の様子を見ることができないから、間仕切りパネル３７の内側や外側の存在する人物のプライバシーを保護することができ、間仕切りパネル３７の内側や外側の物やレイアウトの秘密を保持することができる。
【００８４】
図１２は、画像表示パネル１０Ｆを利用した一例として示す折り畳み式の画像表示ユニット３９の斜視図であり、図１３は、折り畳まれた状態で示す画像表示ユニット３９の斜視図である。図１２では、縦方向を矢印Ａ、横方向を矢印Ｂで示す。図１２に示す折り畳み式の画像表示ユニット３９は、横方向に並ぶ複数の画像表示パネル１０Ｆから作られている。
【００８５】
それら画像表示パネル１０Ｆは、高輝度ＬＥＤディスプレイ１１（自発光型ディスプレイ）と、所定面積の透明な複数の支持プレート１２（アクリル板）とから形成されている。ＬＥＤディスプレイ１１は、所定面積の透明なフレキシブル基板１３ａ，１３ｂと、それらフレキシブル基板１３ａ，１３ｂの一方の面１４に配置された複数のＬＥＤ素子１５（ＬＥＤチップ）と、フレキシブル基板１３ａ，１３ｂの上端部１６に設置された電子制御モジュール（図示せず）とから形成されている。
【００８６】
支持プレート１２やフレキシブル基板１３ａ，１３ｂ、ＬＥＤ素子１５、電子制御モジュールは、図１の画像表示パネル１０Ａのそれらと同一であるが、それら支持プレート１２が直状に延びる縦方向へ長い四角形に成形され、それら支持プレート１２に直状に延びるフレキシブル基板１３ａ，１３ｂが取り付けられている。フレキシブル基板１３ａは、その他方の面２２が所定の接合手段（接着剤や粘着テープ）（図示せず）によって支持プレート１２の一方の面２１に取り付けられている。フレキシブル基板１３ｂは、その他方の面２２が所定の接合手段（接着剤や粘着テープ）（図示せず）によって支持プレート１２の他方の面２５に取り付けられている（図１１援用）。なお、フレキシブル基板１３が支持プレート１２の一方の面２１と他方の面２５とのいずれか一方にのみ取り付けられていてもよい。
【００８７】
それら支持プレート１２の上下端部１６，１７および両側縁部１８（周縁部）には、それら縁部１６〜１８を囲繞するフレーム１９が設置されている。それら支持プレート１２（フレーム１９）は、横方向へ並んだ状態で蝶番４０によって横方向へ折り畳み可能に連結されている。なお、それら支持プレート１２（フレーム１９）が縦方向へ並んだ状態で蝶番４０によって縦方向へ折り畳み可能に連結されていてもよい。電子制御モジュールは、図１の画像表示パネル１０Ａと同一のコントローラに接続されている。
【００８８】
画像表示ユニット３９は、図１３に示すように、蝶番４０によって隣接する支持プレート１２を折曲し、横方向へ隣接する一方の支持プレート１２と他方の支持プレート１２とを重ね合わせることで、横方向へ折り畳むことができる。折り畳んだ支持プレート１２（画像表示ユニット３９）を横方向へ拡げることで、図１１に示すように、横方向へ展開することができる。なお、縦方向へ折り畳み可能に連結されている場合、蝶番４０によって隣接する支持プレート１２を折曲し、縦方向へ隣接する一方の支持プレート１２と他方の支持プレート１２とを重ね合わせることで、縦方向へ折り畳むことができ、折り畳んだ支持プレート１２（画像表示ユニット）を縦方向へ拡げることで、縦方向へ展開することができる。
【００８９】
画像表示ユニット３９では、コントローラによって作成された画像（フルカラーの動画またはフルカラーの静止画）がコントローラから電子制御モジュールに送信され、電子制御モジュールがそれらＬＥＤ素子１５の発光色を調整しつつそれらＬＥＤ素子１５の輝度を調整することで、所定の画像（フルカラーの動画またはフルカラーの静止画）（音声は、スピーカーから出力される）がＬＥＤディスプレイ１１に表示される。画像は、支持プレート１２（画像表示ユニット３９）の両面（一方の面２１および他方の面２５）に表示される。
【００９０】
画像表示ユニット３９では、各ＬＥＤディスプレイ１１がそれらＬＥＤ素子１５を利用して各画像表示パネル１０Ｆ（各支持プレート１２）の両面（一方の面２１および他方の面２５）または片面（一方の面２１または他方の面２５）に一つの纏まった画像の動画または静止画を表示し、または、それらＬＥＤ素子１５を利用して各画像表示パネル１０Ｆ（各支持プレート１２）の両面または片面に複数の異なる画像の動画または静止画を表示することができる。なお、支持プレート１２（画像表示ユニット３９）の一方の面２１と他方の面２５とのいずれかのみに画像を表示することもできる。
【００９１】
画像表示ユニット３９では、ＬＥＤディスプレイ１１の支持プレート１２（アクリル板）やフレキシブル基板１３ａ，１３ｂが透明であるから、画像表示ユニット３９を横方向へ展開した状態であって所定の動画または静止画を表示中または非表示中に、画像表示パネル１０Ｆ（画像表示ユニット３９）の一方の面２８の側から反対側の景観（景色）を視認することができ、パネル１０Ｆ（画像表示ユニット３９）の他方の面２９の側から反対側の景観（景色）を視認することができる。また、所定の動画または静止画を表示中に、動画や静止画の色濃度（カラー濃度（白黒を含む））を高くし（濃くし）、および／または、動画や静止画の輝度を高くすることで、パネル１０Ｆ（画像表示ユニット３９）の一方の面２８（画像を表示している面）の側から反対側の景観（景色）を視認不能にすることができ、および／または、パネル１０Ｆ（画像表示ユニット３９）の他方の面２９（画像を表示している面）の側から反対側の景観（景色）を視認不能にすることができる。
【００９２】
画像表示パネル１０Ｆは、蝶番４０を介して横方向（または縦方向）へ連結された複数の支持プレート１２によって折り畳み式の画像表示ユニット３９を作ることができ、それら支持プレート１２に複数のＬＥＤディスプレイ１１の各フレキシブル基板１３ａ，１３ｂを取り付けることで、連結された複数の支持プレート１２を利用しつつ、任意の場所に設置された折り畳み可能な画像表示ユニット３９おいてフルカラーの動画またはフルカラーの静止画をその両面（または片面）に表示することができる。画像表示パネル１０Ｆ（画像表示ユニット３９）は、画像表示ユニット３９の両面（または片面）に所定の画像を表示することで、宣伝用の大型の折り畳み式画像表示ユニット３９として使用することができ、商品やサービスの各種情報を伝える伝達媒体として利用することができる。
【００９３】
画像表示パネル１０Ｅ（画像表示ユニット３９）は、それら支持プレート１２に取り付けられたそれらＬＥＤディスプレイ１１において、一つの纏まった画像のフルカラーの動画またはフルカラーの静止画を表示することで、それらＬＥＤディスプレイ１１を利用して一つの纏まった大型の画像を画像表示ユニット３９（支持プレート１２）の両面（または片面）において見せることができ、複数の異なる画像のフルカラーの動画またはフルカラーの静止画を表示することで、それらＬＥＤディスプレイ１１を利用して複数の異なる内容の画像を画像表示ユニット３９の両面（または片面）において見せることができる。
【００９４】
画像表示パネル１０Ｆ（画像表示ユニット３９）は、所定の動画または静止画を表示中または非表示中に、画像表示パネル１０Ｆ（画像表示ユニット３９）の両面（または片面）に表示された動画または静止画を視認しつつパネル１０Ｆ（画像表示ユニット３９）の一方の面２８の側と他方の面２９の側とから反対側の景観（景色）を視認することができ、パネル１０Ｆ（画像表示ユニット３９）の内側や外側の様子を知ることができるとともに、閉塞感を与えることはなく、開放的な環境において所定の動画または静止画を見せることができる。また、所定の動画または静止画を表示中に、パネル１０Ｆ（画像表示ユニット３９）の一方の面２８の側から反対側の景観（景色）を視認不能にし、パネル１０Ｆ（画像表示ユニット３９）の他方の面２９の側から反対側の景観（景色）を視認不能にする場合は、パネル１０Ｆ（画像表示ユニット３９）の内側や外側の様子を見ることができないから、画像表示ユニット３９の内側や外側の存在する人物のプライバシーを保護することができ、画像表示ユニット３９の内側や外側の物やレイアウトの秘密を保持することができる。
【符号の説明】
【００９５】
１０Ａ  画像表示パネル
１０Ｂ  画像表示パネル
１０Ｃ  画像表示パネル
１０Ｄ  画像表示パネル
１０Ｅ  画像表示パネル
１０Ｆ  画像表示パネル
１１    ＬＥＤディスプレイ
１２    支持プレート
１３    フレキシブル基板
１３ａ  一方のフレキシブル基板
１３ｂ  他方のフレキシブル基板
１４    一方の面
１５    ＬＥＤ素子
１６    上端部
１７    下端部
１８    両側縁部
１９    フレーム
２０    スタンド
２１    一方の面
２２    他方の面
２３    上端部
２４    上端面
２５    他方の面
２６    下端部
２７    下端面
２８    一方の面
２９    他方の面
３０    画像表示設備
３１    窓ガラス
３２    紫外線遮蔽フィルム
３３    固定フレーム
３４    窓フレーム
３５    画像表示ユニット
３６    仮囲い
３７    間仕切りパネル（パーティション）
３８    吊し紐
３９    折り畳み式の画像表示ユニット
４０    蝶番
【図１】
2018151519.tif 000003
【図２】
2018151519.tif 000004
【図３】
2018151519.tif 000005
【図４】
2018151519.tif 000006
【図５】
2018151519.tif 000007
【図６】
2018151519.tif 000008
【図７】
2018151519.tif 000009
【図８】
2018151519.tif 000010
【図９】
2018151519.tif 000011
【図１０】
2018151519.tif 000012
【図１１】
2018151519.tif 000013
【図１２】
2018151519.tif 000014
【図１３】
2018151519.tif 000015